(57)【特許請求の範囲】
【請求項１】
電気駆動部が搭載された複数のバルブブロックが左右方向に連設され、
連設された前記複数のバルブブロックの左右いずれか一方の側に外部からの駆動指令信号を前記複数のバルブブロックへ取り込む給電端子と、取り込んだ前記駆動指令信号を前記複数のバルブブロックへ分配する接続端子とを備えた給電ブロックが配置され、
前記バルブブロックは、前記給電端子と電気的に接続可能で前記電気駆動部に接続される配線回路と、前記複数のバルブブロック中の他の前記バルブブロックへ中継接続可能な配線回路とを備えた電磁弁マニホールドにおいて、
前記バルブブロックは、該バルブブロックの左右にそれぞれ設けられた複数の端子を、該バルブブロックに搭載された前記電気駆動部とは接続せず、該バルブブロックの左右にそれぞれ設けられた前記複数の端子を配列方向にずらさず電気的に接続した第１の配線回路と、
該バルブブロックの左右にそれぞれ設けられた複数の端子を、該バルブブロックに搭載された前記電気駆動部の少なくとも個数値だけ配列方向にずらして該バルブブロックの左右の前記複数の端子を電気的に接続し、該バルブブロックの左方に設けられた前記複数の端子の列上で接続されていない左方の特定接続端子を該バルブブロックに搭載された前記電気駆動部に電気的に接続するとともに、前記電気駆動部を該バルブブロックの右方に設けられた前記複数の端子の列上で接続されていない右方の特定接続端子にも電気的に接続した第２の配線回路と、を備え、
前記給電ブロックが前記第１の配線回路に接続される場合には、前記給電ブロックの配置側とは反対側に配置されて、前記第１の配線回路の前記複数の端子と前記第２の配線回路の前記複数の端子とを電気的に接続する接続回路をさらに備え、
前記給電ブロックは前記第１の配線回路又は前記第２の配線回路のいずれか一方に接続される電磁弁マニホールド。
【請求項２】
電気駆動部が搭載されるとともに左右方向に連設されて使用可能なバルブブロックであって、
連設された複数の前記バルブブロックの左右いずれか一方の側で、給電端子を備える給電ブロックが接続可能に構成され、
前記バルブブロックは、前記給電端子と電気的に接続可能で前記電気駆動部に接続される配線回路と、前記複数のバルブブロック中の他の前記バルブブロックへ中継接続可能な配線回路とを備え、
前記バルブブロックは、該バルブブロックの左右にそれぞれ設けられた複数の端子を、該バルブブロックに搭載された前記電気駆動部とは接続せず、該バルブブロックの左右にそれぞれ設けられた前記複数の端子を配列方向にずらさず電気的に接続した第１の配線回路と、
該バルブブロックの左右にそれぞれ設けられた前記複数の端子を、該バルブブロックに搭載された前記電気駆動部の少なくとも個数値だけ配列方向にずらして該バルブブロックの左右の前記複数の端子を電気的に接続し、該バルブブロックの左方に設けられた前記複数の端子の列上で接続されていない左方の特定接続端子を該バルブブロックに搭載された前記電気駆動部に電気的に接続するとともに、前記電気駆動部を該バルブブロックの右方に設けられた前記複数の端子の列上で接続されていない右方の特定接続端子にも電気的に接続した第２の配線回路とを備えるバルブブロック。
【発明の詳細な説明】
【技術分野】
【０００１】
本発明は、電気駆動部を搭載したバルブブロックが複数連設されて構成された電磁弁マニホールド及びそれに使用されるバルブブロックに関するものである。
【背景技術】
【０００２】
従来、設置後の保守作業を容易に行なえるように、給電端子が列設された給電ブロックを一つのバルブブロックの左右いずれか一方の側に配置して、片側から一括して給電を行なう省配線タイプの電磁弁マニホールドが提案されている。
【０００３】
ところが、電磁弁マニホールドの設置場所によっては、バルブブロックの通常給電する側とは反対の側からしか給電できないような状況が生じることもあるため、バルブブロックの両側から給電を行うことができる電磁弁マニホールドが提案されている（特許文献１参照。）。
【０００４】
特許文献１の電磁弁マニホールドは、バルブブロック毎にそれぞれ左右同数で複数の接続端子が設けられ、一方の側の接続端子は他方の側の接続端子に対して１つのバルブブロックに搭載された電気駆動部の個数分だけその配列方向にずらして電気的に接続されている。そして、電気的に接続されていない左右それぞれの接続端子をバルブブロックに搭載された電気駆動部に接続することで、バルブブロックの左右両側から給電を行なうことを可能にしている。
【０００５】
ところが、特許文献１に記載された電磁弁マニホールドでは、複数の電気駆動部がバルブブロックに搭載されていると、左側から給電する場合と右側から給電する場合とで給電ブロック上の給電端子における信号配列呼称の順番が異なってくるため、使用者が電磁弁マニホールドの制御プログラムを組む上で混乱を生じる。
【０００６】
そこで、図６に示すようにバルブブロック１１１毎に設けられた左右の各接続端子Ｆ１〜Ｆ８、Ｇ１〜Ｇ８のうち、左方の各接続端子Ｆ１〜Ｆ８の一端側（図６の下側）から数えて１番目にあたる特定接続端子Ｆ１と、右方の各接続端子Ｇ１〜Ｇ８のうち他端側（図６の上側）から数えて１番目にあたる特定接続端子Ｇ８とを電気駆動部１１１ａに接続するとともに、左方の各接続端子Ｆ１〜Ｆ８の一端側（図６の下側）から数えて２番目にあたる特定接続端子Ｆ２と、右方の各接続端子Ｇ１〜Ｇ８のうち他端側（図６の上側）から数えて２番目にあたる特定接続端子Ｇ７とを電気駆動部１１１bに接続したバルブブロックから成る電磁弁マニホールドが提案されている（特許文献２参照。）。特許文献２に記載された電磁弁マニホールドでは、図７（ａ）、（ｂ）に示すように左側から給電する場合も右側から給電する場合も、バルブブロックの配列番号を常に給電ブロック側から１連目、２連目、３，４・・と数える。図７（ａ）に示すように、バルブブロック１１０あるいは１１１に対して左側から給電する場合の駆動指令信号の信号配列は、給電端子列ＬＨ（ＬＨ１〜ＬＨ８）のうち左側の給電端子側から順に、「１ａ、１ｂ、２ａ、２ｂ…」となり、バルブブロック１１０あるいは１１１に対して右側から給電する場合の駆動指令信号の信号配列は、給電端子列ＲＨ（ＲＨ１〜ＲＨ８）のうち左側の給電端子から順に、「１ａ、２ａ、…」となる。すなわち、特許文献２に記載された電磁弁マニホールドでは、左側から給電する場合も、右側から給電する場合も、給電端子上における信号配列は、給電端子左端及びバルブブロック１１０、あるいは１１１の１連目より「ａ」を最初にして順に設定することができる。
【特許文献１】実用新案登録第２５１１４０２号
【特許文献２】特開２００４−１００７９０号公報
【発明の開示】
【発明が解決しようとする課題】
【０００７】
特許文献２に記載の電磁弁マニホールドは、「ａ」を最初にして順に設定された信号配列を電気駆動部１１０ａ、１１１ａ、１１１ｂへ出力することで電気駆動部１１０ａ、１１１ａ、１１１ｂを駆動している。この「ａ」を最初にして順に設定された信号配列を電気駆動部１１０ａ、１１１ａ、１１１ｂへ出力し、信号配列に付されている番号と対応するように各バルブブロック１１０あるいは１１１の配列番号を設定することが決まっているため、各バルブブロック１１０あるいは１１１の配列番号は給電ブロック側から順に設定されていた。しかしながら、電磁弁マニホールドを使用する使用者においては、予めバルブブロック１１０、１１１の配列番号の設定方法について社内規格を定めている場合が多くあり、例えば、各バルブブロック１１０あるいは１１１の配列番号を給電ブロックの配置位置に関係なく、図７（ａ）、（ｂ）における一定の側（左側又は右側）から順に設定する場合がある。そして、配列番号の設定方法について上述したような制約のある特許文献２に記載の電磁弁マニホールドは社内規格と合致していない故に使用できない等の不都合が生じることがあった。
【０００８】
本発明は、このような従来の技術に存在する問題点に着目してなされたものであり、その目的は給電をバルブブロックの左右どちら側からでも行なうことができるとともに、バルブブロックの配列番号起点をどちら側でも設定できる電磁弁マニホールドを提供することにある。
【課題を解決するための手段】
【０００９】
請求項１に記載の発明は、
電気駆動部が搭載された複数のバルブブロックが左右方向に連設され、連設された前記複数のバルブブロックの左右いずれか一方の側に外部からの駆動指令信号を前記複数のバルブブロックへ取り込む給電端子と、取り込んだ前記駆動指令信号を前記複数のバルブブロックへ分配する接続端子とを備えた給電ブロックが配置され、前記バルブブロックは、前記給電端子と電気的に接続可能で前記電気駆動部に接続される配線回路と、前記複数のバルブブロック中の他の前記バルブブロックへ中継接続可能な配線回路とを備えた電磁弁マニホールドにおいて、前記バルブブロックは、該バルブブロックの左右にそれぞれ設けられた複数の端子を、該バルブブロックに搭載された前記電気駆動部とは接続せず、該バルブブロックの左右にそれぞれ設けられた前記複数の端子を配列方向にずらさず電気的に接続した第１の配線回路と、該バルブブロックの左右にそれぞれ設けられた複数の端子を、該バルブブロックに搭載された前記電気駆動部の少なくとも個数値だけ配列方向にずらして該バルブブロックの左右の前記複数の端子を電気的に接続し、該バルブブロックの左方に設けられた前記複数の端子の列上で接続されていない左方の特定接続端子を該バルブブロックに搭載された前記電気駆動部に電気的に接続するとともに、前記電気駆動部を該バルブブロックの右方に設けられた前記複数の端子の列上で接続されていない右方の特定接続端子にも電気的に接続した第２の配線回路と、を備え、前記給電ブロックが前記第１の配線回路に接続される場合には、前記給電ブロックの配置側とは反対側に配置されて、前記第１の配線回路の前記複数の端子と前記第２の配線回路の前記複数の端子とを電気的に接続する接続回路をさらに備え、前記給電ブロックは前記第１の配線回路又は前記第２の配線回路のいずれか一方に接続されることを要旨とする。
【００１０】
この構成によれば、給電ブロックの接続端子を第１の配線回路に接続した場合には、給電ブロックから出力される電気駆動部の駆動指令信号は、第１の配線回路から接続回路を経由して第２の配線回路のうち給電ブロック配置側とは反対の側から電気駆動部へ入力される。そして、第２の配線回路のうち給電ブロックの配置側とは反対側から駆動指令信号が入力されると、各バルブブロックに設定される配列番号は、給電ブロックの配置側とは反対側のバルブブロックから順に１連、２連、・・・と設定することができる。また、給電ブロックの給電端子を第２の配線回路に接続すれば、給電端子から出力される電気駆動部の駆動指令信号は、第２の配線回路のうち給電ブロック配置側から電気駆動部に入力される。そして、第２の配線回路のうち給電ブロック配置側から駆動指令信号が入力されるようにすれば、各バルブブロックに設定される配列番号を給電ブロックの配置側のバルブブロックから順に１連、２連、・・・と設定することができる。
【００１１】
したがって、給電ブロックから出力された駆動指令信号を第２の配線回路のうち給電ブロック配置側又は給電ブロック配置側とは反対の側のどちら側からでも入力することができるため、バルブブロックの配列番号をどちら側からでも設定することができる。
【００１２】
請求項２に記載の発明では、
電気駆動部が搭載されるとともに左右方向に連設されて使用可能なバルブブロックであって、連設された複数の前記バルブブロックの左右いずれか一方の側で、給電端子を備える給電ブロックが接続可能に構成され、前記バルブブロックは、前記給電端子と電気的に接続可能で前記電気駆動部に接続される配線回路と、前記複数のバルブブロック中の他の前記バルブブロックへ中継接続可能な配線回路とを備え、前記バルブブロックは、該バルブブロックの左右にそれぞれ設けられた複数の端子を、該バルブブロックに搭載された前記電気駆動部とは接続せず、該バルブブロックの左右にそれぞれ設けられた前記複数の端子を配列方向にずらさず電気的に接続した第１の配線回路と、該バルブブロックの左右にそれぞれ設けられた前記複数の端子を、該バルブブロックに搭載された前記電気駆動部の少なくとも個数値だけ配列方向にずらして該バルブブロックの左右の前記複数の端子を電気的に接続し、該バルブブロックの左方に設けられた前記複数の端子の列上で接続されていない左方の特定接続端子を該バルブブロックに搭載された前記電気駆動部に電気的に接続するとともに、前記電気駆動部を該バルブブロックの右方に設けられた前記複数の端子の列上で接続されていない右方の特定接続端子にも電気的に接続した第２の配線回路とを備えることを要旨とする。
【００１３】
この構成によれば、バルブブロックを請求項１に記載の発明の電磁弁マニホールドのバルブブロックとして使用することができる。
【発明の効果】
【００１４】
本発明によれば、バルブブロックの左右どちら側からでも給電を行なうことができるとともに、バルブブロックの配列番号をどちら側からでも設定できる。
【発明を実施するための最良の形態】
【００１５】
以下、本発明を具体化した一実施形態を図１〜図７に従って説明する。
なお、以下の説明では、図１に示される形態を基準として「上側」、「下側」、「左方」、「右方」と述べることにする。
【００１６】
図１に示すように、電磁弁マニホールドは、ＤＩＮレール１０上に配設された、左側給電ブロック２０Ｌ、複数（４連）のバルブブロック３０、３１、給排気ブロック５０及び右側エンドブロック６０Ｒを備えるとともに、各ブロック２０Ｌ、３１、３０、５０、６０Ｒは、ＤＩＮレール１０の長手方向に沿って連設されている。接続回路４０（図４（ａ）、（ｂ）で図示する。）は給排気ブロック５０あるいは右側エンドブロック６０Ｒ等の内部に設置されている。電磁弁マニホールドは、シングルソレノイドタイプのバルブブロック３０と、ダブルソレノイドタイプのバルブブロック３１とが混在するミックス形の電磁弁マニホールドである。シングルソレノイドタイプのバルブブロック３０には、図４に示すように、第１電気駆動部３０ａが搭載される。ダブルソレノイドタイプのバルブブロック３１は、第１電気駆動部３１ａ及び第２電気駆動部３１ｂが搭載され、２つの電気駆動部を有する。電気駆動部は、例えば、電磁弁のソレノイドで構成される。
【００１７】
左側給電ブロック２０Ｌは、連設されている各バルブブロック３０、３１に対して取付け可能に構成される。左側給電ブロック２０Ｌには、給電端子としての多極コネクタ２１が設けられており、多極コネクタ２１に接続される図示しない多極ケーブルを介して、バルブブロック３０、３１の第１電気駆動部３０ａ、３１ａ及び第２電気駆動部３１ｂに給電がなされる。多極コネクタ２１は、駆動指令信号を入力する各給電端子ＬＡ１〜ＬＡ８（図４（ａ）で示す。）を備える。なお、図１における多極コネクタ２１は、４つ設けられた各バルブブロック３０、３１を増設した場合に対応可能な端子点数を有している。左側給電ブロック２０Ｌは、各給電端子ＬＡ１〜ＬＡ８と電気的に接続可能にした各接続端子Ｂ１〜Ｂ８を備える。なお、接続端子Ｂ１〜Ｂ８や給電端子ＬＡ１〜ＬＡ８は、端子数８に限らず、バルブブロックの増加にも対応することができるような数が余分に設けることができる。
【００１８】
各バルブブロック３０、３１は、その一端にエア出力ポートが設けられるとともに、２つのエア出力ポートへのエア出力は、電気操作によって交互に切り換えられる。図２に示すように各バルブブロック３０、３１は、その側面に電気回路の収容孔３４が設けられている。収容孔３４は、電気駆動部用の配線回路基板３６を収容する。
【００１９】
図３及び図４（ａ）、（ｂ）に示すように、配線回路基板３６上には第１の配線回路３７と第２の配線回路３８とが形成される。第１の配線回路３７は、左方の各接続端子Ｃ９〜Ｃ１６と、右方の各接続端子Ｄ９〜Ｄ１６とを備える。図３に示すように、左方の各接続端子Ｃ９〜Ｃ１６及び右方の各接続端子Ｄ９〜Ｄ１６は、配線回路基板３６の両側縁にそれぞれ配置されている。
【００２０】
図４（ａ）、（ｂ）に示すように、第１の配線回路３７においては、左方の各接続端子Ｃ９〜Ｃ１６と右方の各接続端子Ｄ９〜Ｄ１６とを配列方向にずらすことなくそれぞれ一対一で対応するように電気的に接続している。すなわち、第１の配線回路３７における配線構成は、マニホールドの何連目においても、各バルブブロック左方の各接続端子Ｃｎ（ただしｎは、９〜１６までの整数）の接続端子と、各バルブブロック右方の各接続端子Ｄｎ番目の接続端子とが接続される配線構成となっている。
【００２１】
また、図３及び図４（ａ）、（ｂ）に示すように第２の配線回路３８は、左方の各接続端子Ｃ１〜Ｃ８と、右方の各接続端子Ｄ１〜Ｄ８と、左方に設けられたコモン端子ＣＣＯＭ、右方に設けられたコモン端子ＤＣＯＭとを備える。左方の各接続端子Ｃ１〜Ｃ８及び右方の各接続端子Ｄ１〜Ｄ８は、第１の配線回路３７における左右の各接続端子Ｃ９〜Ｃ１６、Ｄ９〜Ｄ１６と同様に、配線回路基板３６の両側縁にそれぞれ配置されている。
【００２２】
図４（ａ）、（ｂ）に示すように、一つの第１電気駆動部３０ａを搭載したバルブブロック３０における第２の配線回路３８では、左方の接続端子Ｃ２〜Ｃ８と右方の接続端子Ｄ１〜Ｄ７とが、電気駆動部の個数値「１」だけ配列方向に対して斜め下側にずらして対応接続されている。すなわち、左方の接続端子列Ｃ２〜Ｃ８のうちの接続端子Ｃｍ（ただし、ｍは２〜８までの整数。）は、右方の接続端子列Ｄ１〜Ｄ７のうちｍー１番目の接続端子Ｄ（ｍー１）に接続されている。さらに、左方の各接続端子Ｃ１〜Ｃ８で配列方向にずらして接続されていない特定接続端子Ｃ１は、右方の各接続端子Ｄ１〜Ｄ８で配列方向にずらして接続されていない特定接続端子Ｄ８と接続される。ここで、「ずらして接続されていない特定接続端子」とは、配列方向に対して斜め下側にずらして対応接続された接続端子Ｃ２〜Ｃ８、Ｄ１〜Ｄ７以外の接続端子のことを意味する。
【００２３】
そして、図４（ａ）、（ｂ）に示すように、第１電気駆動部３１ａ及び第２電気駆動部３１ｂを搭載したバルブブロック３１における第２の配線回路３８では、左方の各接続端子Ｃ３〜Ｃ８と右方の各接続端子Ｄ１〜Ｄ６とが電気駆動部の個数値「２」だけ配列方向に対して斜め下側にずらされて対応接続される。すなわち、左方の接続端子Ｃi（ただし、ｉは、３〜８までの整数。）は、右方の接続端子Ｄ（iー２）に接続されている。さらに、左方の各接続端子Ｃ１〜Ｃ８で配列方向にずらして接続されていない特定接続端子Ｃ１は、右方の各接続端子Ｄ１〜Ｄ８上で配列方向にずらして接続されていない特定接続端子Ｄ８と接続される。同様に、左方の各接続端子Ｃ１〜Ｃ８上で特定接続端子Ｃ２は、右方の特定接続端子Ｄ７と接続される。ここで、「ずらして接続されていない特定接続端子」とは、配列方向に対して斜め下側にずらして対応接続された接続端子Ｃ３〜Ｃ８、Ｄ１〜Ｄ６以外の接続端子のことを意味する。
【００２４】
シングルソレノイドタイプのバルブブロック３０における第１の配線回路３７が備える左右の接続端子Ｃ９〜Ｃ１６、Ｄ９〜Ｄ１６及び第２の配線回路３８が備える左右の接続端子Ｃ１〜Ｃ８、Ｄ１〜Ｄ８の個数は、ダブルソレノイドタイプのバルブブロック３１における第１の配線回路３７が備える左右の接続端子Ｃ９〜Ｃ１６、Ｄ９〜Ｄ１６及び第２の配線回路が備える左右の接続端子Ｃ１〜Ｃ８、Ｄ１〜Ｄ８の個数と同数である。
【００２５】
接続回路４０は、バルブブロックの左側給電ブロック２０Ｌが取付けられている側とは反対側に、給排気ブロック５０あるいは右側エンドブロック６０Ｒ等に内蔵される形態にて設置されている。図２に示すように接続回路４０を内蔵する給排気ブロック５０には、接続回路４０が形成される接続回路基板４２を収容する接続回路基板収容孔４１が設けられている。
【００２６】
図３及び図４（ａ）、（ｂ）に示すように、接続回路基板４２上に形成され、配線回路３５と電気的に接続可能にされた接続回路４０は、１６本の接続端子Ｅ１〜Ｅ１６を備えるとともに、各接続端子Ｅ１〜Ｅ１６は、接続回路基板４２の一側縁に配置される。図４（ａ）、（ｂ）に示すように、接続回路４０は、１６本の各接続端子Ｅ１〜Ｅ１６のうち上側から数えて１〜８番目までの各接続端子Ｅ１〜Ｅ８と、下側から数えて１〜８番目までの各接続端子Ｅ１６〜Ｅ９とがお互い対応するように一対一で接続された構成となっている。
【００２７】
そして、図４（ａ）に示すように、左側給電ブロック２０Ｌと各バルブブロック３０、３１とが連設された状態においては、左側給電ブロック２０Ｌが備える各接続端子Ｂ１〜Ｂ８は、第１の配線回路３７が備える各接続端子Ｃ９〜Ｃ１６と結合し、各給電端子ＬＡ１〜ＬＡ８と第１の配線回路３７とは電気的に接続される。あるいは、図５（ａ）に示すように、左側給電ブロック２０Ｌが備える各接続端子Ｂ１〜Ｂ８は、第２の配線回路３８が備える各接続端子Ｃ１〜Ｃ８に差し込まれ、各給電端子ＬＡ１〜ＬＡ８と第２の配線回路３８とは電気的に接続される。
【００２８】
各バルブブロック３０、３１がそれぞれ連設された状態においては、第１の配線回路３７が備える右方の各接続端子Ｄ９〜Ｄ１６、第２の配線回路３８が備える右方の各接続端子Ｄ１〜Ｄ８及びコモン端子ＤＣＯＭは、隣接するバルブブロック３０、３１における第１の配線回路３７が備える左方の各接続端子Ｃ９〜Ｃ１６、第２の配線回路３８が備える左方の各接続端子Ｃ１〜Ｃ８及びコモン端子ＣＣＯＭに差し込まれる。したがって、バルブブロック３０、３１内に設けられている第１の配線回路３７同士及び第２の配線回路３８同士は電気的に接続される。
【００２９】
そして、図４（ａ）に示すように接続回路４０は、左側給電ブロック２０Ｌが取付けられているバルブブロック３０、あるいは３１とは反対側に位置するバルブブロック３０、あるいは３１の右方に取付けられている。そして接続回路４０が備える上側の各接続端子Ｅ９〜Ｅ１６は、第１の配線回路３７における右方の各接続端子Ｄ９〜Ｄ１６と電気的に接続されるとともに、接続回路４０が備える下側の各接続端子Ｅ１〜Ｅ８は、第２の配線回路３８における右方の各接続端子Ｄ１〜Ｄ８と電気的に接続される。
【００３０】
次に前記のように構成された電磁弁マニホールドの作用について説明する。
電磁弁マニホールドは、各バルブブロック３０、３１に設けられたエア出力ポートを介して各流体圧機器に接続して使用される。各流体圧機器は、バルブブロックが電気操作によって交互に切り換えられて圧縮流体の吸気と排気とがおこなわれることで作動する。
【００３１】
電磁弁マニホールドを用いる場合に、各バルブブロック３０、３１に設定する連数配列番号を左側給電ブロック２０Ｌ設置側とは反対側に位置する各バルブブロック３０、あるいは３１から順に１連、２連、３連、４連と設定する場合には、図４（ａ）に示すように、左側給電ブロック２０Ｌが備える各接続端子Ｂ１〜Ｂ８を第１の配線回路３７における左方の各接続端子Ｃ９〜Ｃ１６と接続する。この場合、各給電端子ＬＡ１〜ＬＡ８は、第１の配線回路３７と電気的に接続される。この接続状態において各給電端子ＬＡ１〜ＬＡ８から駆動指令信号が出力されると、駆動指令信号は、第１の配線回路３７に伝達された後、接続回路４０を経由して第２の配線回路３８のうち左側給電ブロック２０Ｌ設置側とは反対の側から各電気駆動部へと伝達される。この時、駆動指令信号の信号配列は、給電端子列ＬＡの左端側から順に、「１ａ、２ａ、…、４ｂ」となる。各給電端子ＬＡ１〜ＬＡ８へ入力された駆動指令信号は、各バルブブロック３０、あるいは３１に搭載された電気駆動部に入力される。具体的には、「Ｎａ」（ただし、Ｎは１〜４までの整数。）の駆動指令信号は、Ｎ連目のバルブブロック３０、あるいは３１に搭載された第１電気駆動部３０ａあるいは３１ａに入力され、「Ｎｂ」の駆動指令信号は、Ｎ連目のバルブブロック３１に搭載された第２電気駆動部３１ｂに入力されることを意味する。ここで、「連数配列番号」とは、マニホールド上における各バルブブロックの設置位置を定義付けるものであり、左あるいは右より順に１連目、２連目、３・４・・と設定するものである。
【００３２】
また、各バルブブロック３０、あるいは３１に設定する連数配列番号を左側給電ブロック２０Ｌ設置側に位置するバルブブロック３０、あるいは３１から順に１連、２連、３連、４連と設定するには、図５（ａ）に示すように左側給電ブロック２０Ｌが備える各接続端子Ｂ１〜Ｂ８を第２の配線回路３８における左方の各接続端子Ｃ１〜Ｃ８と接続する。すなわち、各給電端子ＬＡ１〜ＬＡ８は、第１の配線回路３７及び接続回路４０を経由することなく第２の配線回路３８と接続される。この接続状態において各給電端子ＬＡ１〜ＬＡ８から駆動指令信号が出力されると、駆動指令信号は接続回路４０を経由することなく第２の配線回路３８のうち左側給電ブロック２０Ｌ設置側から各電気駆動部へと伝達される。この時も、駆動指令信号の信号配列は、給電端子列ＬＡの左端側から順に、「１ａ、１ｂ、２ａ、…、４ａ」となる。
【００３３】
図４（ｂ）及び図５（ｂ）に示すように、給電ブロックをバルブブロック３０、３１に対して右方に配置する場合には、右側給電ブロック２０Ｒを用意する。そして、右側給電ブロック２０Ｒ設置側とは反対側に位置するバルブブロック３０、あるいは３１側から順に各バルブブロック３０、３１の連数配列番号を設定する場合には、図４（ｂ）に示すように、右側給電ブロック２０Ｒが備える各接続端子Ｂ１〜Ｂ８を第１の配線回路３７に接続する。また、右側給電ブロック２０Ｒ設置側に位置するバルブブロック３０、あるいは３１側から順に各バルブブロック３０、あるいは３１の連数配列番号を設定する場合には、図５（ｂ）に示すように、右側給電ブロック２０Ｒが備える各接続端子Ｂ１〜Ｂ８を第２の配線回路３８に接続する。このように、右側給電ブロック２０Ｒを各バルブブロック３０、あるいは３１に対して右方に配置した場合も同様に、各給電端子ＲＡ１〜ＲＡ８へ入力される駆動指令信号は、給電端子列ＲＡの左端側から順に、「１ａ、１ｂ、２ａ、…、４ａ」となり、対応する連数配列番号が設定された各バルブブロック３０、３１に搭載された電気駆動部に入力される。
【００３４】
本実施形態によれば以下のような効果を得ることができる。
（１）バルブブロック３０、あるいは３１には、第１の配線回路３７と第２の配線回路３８とが設けられ、第１の配線回路３７と第２の配線回路３８は接続回路４０を用いて接続することができる。そして、給電ブロック２０Ｌあるいは２０Ｒが備える各給電端子ＬＡ１〜ＬＡ８あるいはＲＡ１〜ＲＡ８は、第１の配線回路３７又は第２の配線回路３８のいずれか一方に接続することができる。
【００３５】
したがって、各給電端子ＬＡ１〜ＬＡ８あるいはＲＡ１〜ＲＡ８を第１の配線回路３７に接続するか、第２の配線回路３８に接続するかによって、各バルブブロック３０、あるいは３１を連接したマニホールドにおいて、連数配列番号を数え始める側を、給電ブロック２０Ｌあるいは２０Ｒ設置側からにするか、給電ブロック２０Ｌあるいは２０Ｒ設置側とは反対の側からにするかを自由に設定できる。
【００３６】
（２）接続回路４０は、１６本の各接続端子Ｅ１〜Ｅ１６のうち上側から数えて１〜８番目までの各接続端子Ｅ１〜Ｅ８と、下側から数えて１〜８番目までの各接続端子Ｅ１６〜Ｅ９とがお互い対応するように一対一で接続している。
【００３７】
したがって、接続回路４０は、第１の配線回路３７の右方の接続端子Ｄ９〜Ｄ１６と第２の配線回路３８の接続端子Ｄ１〜Ｄ８とを上下対称に接続する配線構成となっている。このような配線構成を採用した接続回路４０によれば、同じタイプの接続回路４０によって右側にも左側にも配置することができる。
【００３８】
（別の実施形態）
本発明の実施形態は、例えば以下のように変更してもよい。
・第１電気駆動部３１ａ及び第２電気駆動部３１ｂを搭載したバルブブロック３１における第２の配線回路３８では、左方の各接続端子Ｃ３〜Ｃ８と右方の各接続端子Ｄ１〜Ｄ６とが電気駆動部の個数値「２」だけ配列方向にずらされて対応接続されていたが、「３」以上配列方向にずらして左右の各接続端子Ｃ１〜Ｃ８、Ｄ１〜Ｄ８を対応接続させてもよい。例えば、左方の各接続端子Ｃｋ（ただし、ｋは４〜８までの整数。）を、右方の各接続端子Ｄ（ｋー３）に接続してもよい。そのうえで、左方の接続端子Ｃ６を右方の接続端子Ｄ３に接続すればよい。
【００３９】
・バルブブロック３０、あるいは３１に搭載する電気駆動部の個数は３個以上でもよい。例えば、バルブブロック３０、あるいは３１に３以上の電気駆動部を搭載して、第２の配線回路３８における左方の各接続端子Ｃ９〜Ｃ１６と右方の各接続端子Ｄ９〜Ｄ１６とを電気駆動部の個数値「３」以上配列方向にずらして対応接続してもよい。すなわち、各バルブブロック３０、３１に搭載された電気駆動部の総数が給電端子の総数以内に収まっていれば、バルブブロック３０、３１に搭載する電気駆動部の個数を３個以上にしてもよいのである。
【００４０】
・第１の配線回路３７が備える左方の各接続端子Ｃ９〜Ｃ１６と第２の配線回路３８が備える左方の接続端子Ｃ１〜Ｃ８とを同じ接続端子列上に形成しなくともよい。又、第１の配線回路３７が備える右方の各接続端子Ｄ９〜Ｄ１６と第２の配線回路３８が備える右方の各接続端子Ｄ１〜Ｄ８とを同じ接続端子列上に形成しなくともよい。すなわち、第１の配線回路３７と第２の配線回路３８とを別々の回路基板上に形成して、第１の配線回路３７が備える左右の各接続端子Ｃ９〜Ｃ１６、Ｄ９〜Ｄ１６と第２の配線回路３８が備える左右の各接続端子Ｃ１〜Ｃ８、Ｄ１〜Ｄ８とが別々の接続端子列となるように形成してもよい。
【００４１】
・電磁弁マニホールドが備えるバルブブロック３０、３１は、実施形態では４連であったが、それ以上でも以下でもよい。例えば、ＤＩＮレール１０上に１６連のバルブブロック３０、３１を配設してもよい。また、４連のバルブブロック３０、３１を備える電磁弁マニホールドに、１連のバルブブロック３１を追加して５連の電磁弁マニホールドにしてもよい。ただし、設けることのできるバルブブロック３０、３１の個数の上限は、各バルブブロック３０、３１に搭載された電気駆動部の総数が給電端子の総数に収まる範囲内である。
【００４２】
また、給電端子ＬＡｎあるいはＬＲｎ、接続端子Ｂｎ、Ｃｎ、Ｄｎ、Ｅｎ、および電磁弁マニホールドの内部に形成された配線回路３７、３８等をマニホールドで使用する電気駆動部の最大個数にあわせて設けることによって連数の上限値を増やす事ができる。
【００４３】
・左方の接続端子列Ｃ１〜Ｃ１６の形状は図示する雌形コネクタに限定されない。また、右方の接続端子列Ｄ１〜Ｄ１６の形状は図示する雄形コネクタに限定されない。すなわち、左方の各接続端子Ｃ１〜Ｃ１６を雄形に変更するとともに、右方の各接続端子Ｄ１〜Ｄ１６を雌形に変更してもよい。なお、このように変更した場合には、給電ブロック２０Ｌあるいは２０Ｒに設けられている接続端子Ｂ１〜Ｂ８を雌形に変更するとよい。また、左右両側に設けられている接続端子が雌形である補助ブロックを給電ブロック２０Ｌあるいは２０Ｒとバルブブロック３０、３１との間に介在させ電気的に接続すれば、給電ブロック２０Ｌあるいは２０Ｒに設けられている接続端子Ｂ１〜Ｂ８を雌形に変更しなくとも給電端子Ａ１〜Ａ８を配線回路３５に電気的に接続することができる。
【００４４】
・接続回路４０とバルブブロック３０、あるいは３１とを別々のブロックにしなくともよい。例えば、給電ブロック２０Ｌあるいは２０Ｒ設置側とは反対側に位置するバルブブロック３０、３１を接続回路４０と一体にして、バルブブロック３０、３１と接続回路４０が一体に構成されたブロック内に収めてもよい。
【００４５】
・電磁弁マニホールドは、シングルソレノイドタイプのバルブブロック３０と、ダブルソレノイドタイプのバルブブロック３１とが混在するミックス形の電磁弁マニホールドでなくともよい。例えば、シングルソレノイドタイプのバルブブロック３０のみ連設された電磁弁マニホールドでもよいし、ダブルソレノイドタイプのバルブブロック３１のみ連設された電磁弁マニホールドでもよい。
【００４６】
次に、前述した一実施形態によって把握される技術的思想を以下に示す。
（１）  電気駆動部が搭載された複数のバルブブロックが連設されるとともに、前記連設されたバルブブロックのいずれか一方の側に各バルブブロックへ外部からの駆動指令信号を取り込む給電端子と取り込んだ信号を各バルブブロックへ分配する接続端子とを備えた給電ブロックが配置され、前記各バルブブロックは、前記給電端子と電気的に接続可能で前記電気駆動部に接続される配線回路と、他のバルブブロックへ中継接続可能な配線回路とを備えた電磁弁マニホールドにおいて、
前記各バルブブロックは、バルブブロックの左右にそれぞれ設けられた複数の端子を各バルブブロックに搭載された電気駆動部とは接続せず左右の接続端子を配列方向にずらさず電気的に接続した第１の配線回路と、バルブブロックの左右にそれぞれ設けられた複数の端子を各バルブブロックに搭載された電気駆動部の少なくとも個数値だけ配列方向にずらして左右の接続端子を電気的に接続し、左方の接続端子列上で配列方向にずらして接続されていない左方の特定接続端子をそのバルブブロックに搭載される電気駆動部に電気的に接続するとともに、前記電気駆動部を右方の接続端子列上で配列方向にずらして接続されていない右方の特定接続端子にも電気的に接続した第２の配線回路と、前記給電ブロックの配置側とは反対側に配置され前記第１の配線回路の接続端子と前記第２の配線回路の接続端子とを電気的に接続する接続回路を有する接続ブロックとを備え、前記給電ブロックは前記第１の配線回路又は前記第２の配線回路のいずれか一方に接続される電磁弁マニホールド。
【００４７】
（２）（１）に記載の電磁弁マニホールドにおいて、前記第１の配線回路と前記第２の配線回路とは同一の基板上に形成されている電磁弁マニホールド。
【図面の簡単な説明】
【００４８】
【図１】一実施形態における電磁弁マニホールドの斜視図。
【図２】バルブブロックの連設を解放した斜視図。
【図３】バルブブロック及び接続ブロックに設けられる接続端子を示す斜視図。
【図４】（ａ）給電端子を第１の配線回路と接続して左側から給電する場合の配線図。（ｂ）給電端子を第１の配線回路と接続して右側から給電する場合の配線図。
【図５】（ａ）給電端子を第２の配線回路と接続して左側から給電する場合の配線図。（ｂ）給電端子を第２の配線回路と接続して右側から給電する場合の配線図。
【図６】従来技術におけるバルブブロックの配線図。
【図７】（ａ）左側から給電する場合の従来技術における電磁弁マニホールドの配線図。（ｂ）右側から給電する場合の従来技術における電磁弁マニホールドの配線図。
【符号の説明】
【００４９】
ＬＡ、ＲＡ…給電端子列、ＬＡ１〜ＬＡ８、ＲＡ１〜ＲＡ８…給電端子、Ｂ１〜Ｂ８…接続端子、Ｃ１〜Ｃ８…第２の配線回路の左方の接続端子、Ｃ９〜Ｃ１６…第１の配線回路の左方の接続端子、Ｄ１〜Ｄ８…第２の配線回路の右方の接続端子、Ｄ９〜Ｄ１６…第１の配線回路の右方の接続端子、Ｅ１〜Ｅ１６…接続回路の接続端子、２０Ｌ…左側給電ブロック、２０Ｒ…右側給電ブロック、３０…シングルソレノイドタイプのバルブブロック、３１…ダブルソレノイドタイプのバルブブロック、３７…第１の配線回路、３８…第２の配線回路、４０…接続回路。
【図１】
0004558658.tif 000002
【図２】
0004558658.tif 000003
【図３】
0004558658.tif 000004
【図４】
0004558658.tif 000005
【図５】
0004558658.tif 000006
【図６】
0004558658.tif 000007
【図７】
0004558658.tif 000008